(57)【要約】【課題】  急速製氷を希望する場合、冷気を製氷器に迅速に供給して製氷時間を短縮できる冷蔵庫の制御方法を提供すること。【解決手段】  コントロールパネルを通じて急速製氷命令が入力されると、前記冷却ファンまたは圧縮器を前記冷凍室の負荷に関係なくオンさせる急速製氷段階を含む。【選択図】      図６
2005121349.tif 000002
【特許請求の範囲】
【請求項１】
冷凍室の負荷に応じて冷却ファンと圧縮器を制御する冷蔵庫の制御方法において、
コントロールパネルを通じて急速製氷命令が入力されると、前記冷却ファンを前記冷凍室の負荷に関係なくオンさせる急速製氷段階を含んで構成されたことを特徴とする冷蔵庫の制御方法。
【請求項２】
前記急速製氷段階は前記冷却ファンを急速製氷でない時の回転数より高い回転数で回転させることを特徴とする請求項１に記載の冷蔵庫の制御方法。
【請求項３】
前記急速製氷段階は前記圧縮器を前記冷却ファンと共にオンさせることを特徴とする請求項１に記載の冷蔵庫の制御方法。
【請求項４】
前記急速製氷段階は設定時間の間だけ行われることを特徴とする請求項１に記載の冷蔵庫の制御方法。
【請求項５】
前記急速製氷段階は前記製氷器で生成された氷が設定量を超えると終了されることを特徴とする請求項１に記載の冷蔵庫の制御方法。
【請求項６】
冷凍室の負荷に応じて冷却ファンと圧縮器及び冷凍室のダンパーを制御する冷蔵庫の制御方法において、
コントロールパネルを通じて急速製氷命令が入力されると、前記冷却ファンを前記冷凍室の負荷に関係なくオンさせ、冷気が製氷器に集中するように前記冷凍室のダンパーを制御する急速製氷段階を含んで構成されたことを特徴とする冷蔵庫の制御方法。
【請求項７】
前記急速製氷段階は前記冷却ファンを急速製氷でない時の回転数より高い回転数で回転させることを特徴とする請求項６に記載の冷蔵庫の制御方法。
【請求項８】
前記急速製氷段階は前記圧縮器を前記冷却ファンと共にオンさせることを特徴とする請求項６に記載の冷蔵庫の制御方法。
【請求項９】
前記急速製氷段階は設定時間の間だけ行われることを特徴とする請求項６に記載の冷蔵庫の制御方法。
【請求項１０】
前記急速製氷段階は前記製氷器で生成された氷が設定量を超えると終了されることを特徴とする請求項６に記載の冷蔵庫の制御方法。
【請求項１１】
前記急速製氷段階は前記製氷器に向ける吐出穴を開閉する冷凍室ダのダンパーを開放させ、
前記製氷器に向けていない吐出穴を開閉する冷凍室のダンパーを密閉させることを特徴とする請求項６に記載の冷蔵庫の制御方法。
【請求項１２】
蒸発器の霜を取り除く除霜装置を制御し、冷凍室の負荷に応じて冷却ファンと圧縮器を制御する冷蔵庫の制御方法において、
コントロールパネルを通じて急速製氷命令が入力されると、前記冷却ファンを前記冷凍室の負荷に関係なくオンさせ、前記除霜装置をオン状態に待機させる急速製氷段階を含んで構成されたことを特徴とする冷蔵庫の制御方法。
【請求項１３】
前記急速製氷段階は前記冷却ファンを急速製氷でない時の回転数より高い回転数で回転させることを特徴とする請求項１２に記載の冷蔵庫の制御方法。
【請求項１４】
前記急速製氷段階は前記圧縮器を前記冷却ファンと共にオンさせることを特徴とする請求項１２に記載の冷蔵庫の制御方法。
【請求項１５】
前記急速製氷段階は設定時間の間だけ行われることを特徴とする請求項１２に記載の冷蔵庫の制御方法。
【請求項１６】
前記急速製氷段階は前記製氷器で生成された氷が設定量を超えると終了されることを特徴とする請求項１２に記載の冷蔵庫の制御方法。
【請求項１７】
蒸発器の霜を取り除く除霜装置を制御し、冷凍室の負荷に応じて冷却ファンと圧縮器及び冷凍室のダンパーを制御する冷蔵庫の制御方法において、
コントロールパネルを通じて急速製氷命令が入力されると、前記冷却ファンを前記冷凍室の負荷に関係なくオンさせ、冷気が製氷器に集中するように前記冷凍室のダンパーを制御し、前記除霜装置をオン状態に待機させる急速製氷段階を含んで構成されたことを特徴とする冷蔵庫の制御方法。
【請求項１８】
前記急速製氷段階は前記冷却ファンを急速製氷でない時の回転数より高い回転数で回転させることを特徴とする請求項１７に記載の冷蔵庫の制御方法。
【請求項１９】
前記急速製氷段階は前記圧縮器を前記冷却ファンと共にオンさせることを特徴とする請求項１７に記載の冷蔵庫の制御方法。
【請求項２０】
前記急速製氷段階は設定時間の間だけ行われることを特徴とする請求項１７に記載の冷蔵庫の制御方法。
【請求項２１】
前記急速製氷段階は前記製氷器で生成された氷が設定量を超えると終了されることを特徴とする請求項１７に記載の冷蔵庫の制御方法。
【請求項２２】
前記急速製氷段階は前記製氷器に向ける吐出穴を開閉する冷凍室のダンパーを開放させ、
前記製氷器に向けていない吐出穴を開閉する冷凍室のダンパーを密閉させることを特徴とする請求項１７に記載の冷蔵庫の制御方法。
【発明の詳細な説明】
【技術分野】
【０００１】
本発明は冷蔵庫の制御方法に関し、特に急速製氷命令の入力時に冷凍室の負荷に関係なく製氷器に冷気を送風させる冷蔵庫の制御方法に関する。
【背景技術】
【０００２】
一般的に、冷蔵庫は冷凍サイクルを用いて食べ物など(以下、被貯蔵物という)を新鮮な状態で保管する装置であって、零下の温度状態で被貯蔵物を保管する冷凍室と、零度以上の温度状態で被貯蔵物を保管する冷蔵室が設けられ、前記冷凍室には冷気を用いて水を製氷させる製氷装置が装着される。
【０００３】
図１は従来の技術による冷蔵庫の冷凍サイクル及び主要部の構成を示したブロック図である。
【０００４】
従来の技術による冷蔵庫は、図１に示したように、冷媒を高温高圧で圧縮する圧縮器２と、前記圧縮器２で圧縮された冷媒が周辺空気に熱を放出しながら凝縮される凝縮器４と、前記凝縮器４で凝縮された液体状の冷媒が減圧される膨張器６と、前記膨張器６で膨張した冷媒が周辺空気の熱を吸収しながら蒸発する蒸発器８と、前記蒸発器８により冷却された空気を冷凍室または冷蔵室に強制対流させる冷却ファン１０と、前記冷凍室の負荷を感知する負荷感知センサー１２と、前記負荷感知センサー１２で感知された感知値と設定温度とを比較して圧縮器２及び冷却ファン１０をオン／オフさせる制御部１４とを含んで構成される。
【０００５】
図２は従来の技術による冷蔵庫の内部が示された概略的な正面図であり、図３は従来の技術による冷蔵庫の冷凍室及び冷蔵室が開放された斜視図である。
【０００６】
冷蔵庫は、図２ないし図３に示したように、前記冷凍室(Ｆ)が冷蔵室(Ｒ)の隣に位置し、冷凍室(Ｆ)と冷蔵室(Ｒ)を別空間に区画する隔壁２２が設けられ、前記冷凍室(Ｆ)の前方に冷凍室ドア４が開閉可能に装着され、冷蔵室(Ｒ)の前方に冷蔵室ドア６が開閉可能に連結される。
【０００７】
前記冷凍室(Ｆ)は背面下部に冷凍室内の冷気を蒸発器８の周辺に循環させる冷気リターン穴２８が形成され、前記冷気リターン穴２８の上側に冷凍室に冷気が吐き出される冷気吐出穴２７が上下に複数固形成される。
【０００８】
前記冷凍室(Ｆ)の冷気吐出穴２７のうち最上側の冷気吐出穴の前方である冷凍室(Ｆ)の内側上部には水が製氷される製氷器４１と、前記製氷４１で製氷された氷が盛られるアイスバンク４２が装着される。
【０００９】
そして、前記冷凍室ドア４の背面には氷を外部に取り出させるディスペンサー４３と、前記アイスバンク４２に盛られた氷が前記ディスペンサー４３に落下するように案内するアイススート４４が装着される。
【００１０】
一方、前記バリヤー２は上部の一側に冷蔵室(Ｒ)に冷気を吐き出させる冷気吐出ダクト２９が形成され、下部の一側に冷蔵室(Ｒ)内の冷気が循環される冷気リターンダクト３０が形成される。
【００１１】
かつ、前記冷凍室(Ｆ)及び冷蔵室(Ｒ)には複数個の棚３１が上下に離隔して設置され、前記冷凍室ドア４及び冷蔵室ドア６の背面には複数個のバスケット３２が上下に離隔して装着される。
【００１２】
次に、前記のように構成された従来の技術の動作を説明する。
【００１３】
図４は従来の技術による冷蔵庫の制御方法を示すフローチャートである。
【００１４】
まず、前記負荷感知センサー１２は冷凍室(Ｆ)の温度を感知して制御部１４の感知温度に応じる信号を出力し、制御部１４は負荷感知センサー１２で感知された感知温度と上限設定温度及び下限設定温度とを比較する(Ｓ１、Ｓ２)。
【００１５】
前記制御部１４は感知温度が上限設定温度より高いと判断されると、前記圧縮器２及び冷却ファン１０をオン作動させる(Ｓ３)。
【００１６】
前記圧縮器２のオン作動により前記蒸発器８には低温低圧の冷媒が流れるようになり、蒸発器８の周辺空気は蒸発器８の表面を通りながら低温の冷媒と熱交換されて低温に変化し、前記冷却ファン１０のオン作動により蒸発器８の周辺で冷却された空気は前記冷凍室(Ｆ)または冷蔵室(Ｒ)に吐き出される。
【００１７】
前記冷凍室(Ｆ)に吐き出される冷気は、図２及び図３に示したように、冷気吐出穴２７を通じて冷凍室(Ｆ)に吐き出され、冷凍室(Ｆ)の下側に移動しながら冷凍室(Ｆ)内部の被貯蔵物を冷却させた後、冷気リターン穴２８を通じて蒸発器１２側に循環される。
【００１８】
一方、前記冷凍室(Ｆ)の冷気吐出穴２７のうち最上側の冷気吐出穴を通じて前記冷凍室(Ｆ)に吐き出された冷気は前記製氷器４１の周辺を通りながら製氷器４１に給水された水により製氷した後に冷凍室(Ｆ)の下側に移動する。
【００１９】
前記製氷器(Ｆ)により生成された氷は、前記アイスバンク４２に移されてアイスバンク４２に盛られ、前記氷は使用者がコントロールパネルまたはアイス取出レバーを操作すると、前記アイススート４４を通じて落下して前記ディスペンサー４３に取り出される。
【００２０】
そして、冷蔵室(Ｒ)に吐き出される冷気は、図２に示したように、冷気吐出ダクト２９を通じて冷蔵室(Ｒ)の内側上部に吐き出され、冷蔵室(Ｒ)の下側に移動しながら冷蔵室(Ｒ)内部の被貯蔵物を冷却させた後に冷気リターンダクト３０を通じて蒸発器１２側に循環される。
【００２１】
一方、前記制御部１４は前記負荷感知センサー１２で感知された感知温度が下限設定温度より低いと判断されると、圧縮器２及び冷却ファン１０をオフ作動させる(Ｓ４)。
【００２２】
その後、前記制御部１４は前記冷凍室(Ｆ)の負荷(即ち、冷凍室の感知温度)の変動に応じて前記圧縮器２及び冷却ファン１０のオン／オフを制御する。
【００２３】
ところが、従来の技術による冷蔵庫の制御方法は、冷凍室(Ｆ)の空気の冷却と送風を行う圧縮器２と冷却ファン１０が冷凍室(Ｆ)の負荷に応じてオン／オフされるため、製氷器の急速製氷を希望する使用者の要求に迅速に対応できない問題がある。
【発明の開示】
【発明が解決しようとする課題】
【００２４】
本発明は、上述の従来技術の問題点を解決するために案出されたものであり、急速製氷を希望する場合、製氷器に冷気を迅速に供給させて製氷時間を短縮できる冷蔵庫の制御方法を提供することを目的とする。
【課題を解決するための手段】
【００２５】
前記目的を達成するために、本発明による冷蔵庫の制御方法は、冷凍室の負荷に応じて冷却ファンと圧縮器を制御する冷蔵庫の制御方法において、コントロールパネルを通じて急速製氷命令が入力されると、前記冷却ファンを前記冷凍室の負荷に関係なくオンさせる急速製氷段階を含む。
【００２６】
本発明による冷蔵庫の制御方法は、冷凍室の負荷に応じて冷却ファンと圧縮器及び冷凍室ダンパーを制御する冷蔵庫の制御方法において、コントロールパネルを通じて急速製氷命令が入力されると、前記冷却ファンを前記冷凍室の負荷に関係なくオンさせ、冷気が製氷器に集中するように前記冷凍室のダンパーを制御する急速製氷段階を含む。
【００２７】
本発明による冷蔵庫の制御方法は、蒸発器の霜を取り除く除霜装置を制御し、冷凍室の負荷に応じて冷却ファンと圧縮器を制御する冷蔵庫の制御方法において、コントロールパネルを通じて急速製氷命令が入力されると、前記冷却ファンを前記冷凍室の負荷に関係なくオンさせ、前記除霜装置をオン状態に待機させる急速製氷段階を含む。
【００２８】
本発明による冷蔵庫の制御方法は、蒸発器の霜を取り除く除霜装置を制御し、冷凍室の負荷に応じて冷却ファンと圧縮器及び冷凍室ダンパーを制御する冷蔵庫の制御方法において、コントロールパネルを通じて急速製氷命令が入力されると、前記冷却ファンを前記冷凍室の負荷に関係なくオンさせ、冷気が製氷器に集中するように前記冷凍室のダンパーを制御し、前記除霜装置をオン状態に待機させる急速製氷段階を含む。
【発明の効果】
【００２９】
以上、本発明による冷蔵庫の制御方法は次のような長所がある。
【００３０】
第１に、前記のように構成される本発明による冷蔵庫の制御方法は、急速製氷命令が入力されると、冷凍室の負荷に関係なく冷却ファンをオンさせて冷気を製氷器に強制送風させて製氷を迅速に行うことができる長所がある。
【００３１】
第２に、本発明による冷蔵庫の制御方法は、急速製氷命令が入力されると、冷凍室の負荷に関係なく冷却ファンをオンさせ、冷凍室ダンパーの一部または全部を密閉させて、冷気を製氷器に集中させることにより、さらに迅速な製氷が可能になる長所がある。
【００３２】
第３に、本発明による冷蔵庫の制御方法は、急速製氷命令が入力されると、冷凍室の負荷に関係なく冷却ファンをオンさせ、除霜装置をオン状態に待機させて、使用者の要求に最適に対応できる長所がある。
【００３３】
第４に、本発明による冷蔵庫の制御方法は、急速製氷命令が入力されると、前記冷却ファンを急速製氷モードでない時のｒｐｍより高いｒｐｍで回転させて冷気循環量を増大させることにより、さらに迅速な製氷が可能になる長所がある。
【００３４】
第５に、本発明による冷蔵庫の制御方法は、使用者が急速製氷を希望する場合、冷凍室の負荷に関係なく圧縮器をオンさせて製氷器に供給される冷気を持続的に冷却させられる長所がある。
【００３５】
第６に、本発明による冷蔵庫の制御方法は、急速製氷モードが設定時間の間だけ施されるので、設定時間中に氷を迅速に生成することができて、設定時間が経過した後に冷凍室の負荷に対応できる長所がある。
【００３６】
第７に、本発明による冷蔵庫の制御方法は、急速製氷モードが製氷器で生成された氷が設定量を超えると終了するので、不要な急速製氷とこれによる冷凍室の過冷を防止できて、冷凍室の負荷に最適に対応できる長所がある。
【発明を実施するための最良の形態】
【００３７】
以下、前記目的を具体的に実現する本発明の実施例を添付図面を参照して説明する。
【００３８】
図５は本発明による冷蔵庫の一実施例の冷凍サイクル及び主要構成を示したブロック図である。
【００３９】
本実施例による冷蔵庫は、図５に示したように、冷媒を圧縮する圧縮器５２と、前記圧縮器５２で圧縮された冷媒が外部空気と熱交換して凝縮される凝縮器５４と、前記凝縮器５４で凝縮された冷媒が減圧される膨張器５６と、前記膨張器５６で膨張された冷媒が蒸発されながら周辺空気を冷却させる蒸発器５８と、前記蒸発器５８により冷却された空気を冷凍室(Ｆ)及び冷蔵室(Ｒ)に送風させる冷却ファン６０と、前記冷凍室(Ｆ)の負荷を感知する冷凍室負荷感知センサー６２とを含んで構成される。
【００４０】
そして、前記冷蔵庫は前記冷凍室(Ｆ)への冷気吐出を制御する冷凍室ダンパー６４、６６、６８をさらに含んで構成される。前記冷凍室ダンパー６４、６６、６８は前記冷凍室(Ｆ)に上下に複数個装着される。
【００４１】
前記冷凍室負荷感知センサー６２は冷凍室(Ｆ)内の特定部位の温度を感知する温度センサーまたは赤外線センサーからなる。
【００４２】
前記冷蔵庫は前記冷蔵室(Ｒ)の負荷を感知する冷蔵室負荷感知センサー７０と、前記冷蔵室(Ｒ)への冷気吐出を制御する冷蔵室ダンパー７２をさらに含んで構成される。
【００４３】
前記冷蔵室負荷感知センサー７０は冷蔵室(Ｒ)内の特定部位の温度を感知する温度センサーまたは赤外線センサーからなる。
【００４４】
符号７４は急速製氷命令などの運転命令を入力するコントロールパネルであり、符号７６は前記蒸発器５８の霜を取り除く除霜装置である。前記除霜装置７６は前記蒸発器５８の周辺に設けられて電源印可時に発熱される加熱ヒーターからなる。
【００４５】
符号７８は前記圧縮器５２、冷却ファン６０、冷凍室ダンパー６４、６６、６８、冷蔵室ダンパー７２及び除霜装置７６を制御する制御部である。
【００４６】
そして、符号７９は前記冷凍室(Ｆ)の冷気により給水された水を製氷する製氷装置である。
【００４７】
図６は本発明による冷蔵庫の一実施例の内部を概略的に示した正面図である。
【００４８】
前記冷蔵庫は、図６に示したように、前記冷凍室(Ｆ)が冷蔵室(Ｆ)の隣に位置し、冷凍室(Ｆ)と冷蔵室(Ｒ)を別途の空間に区画する隔壁８０が設置される。
【００４９】
前記冷凍室(Ｆ)はその背面を形成する背面パネルの後方に前記冷却ファン６０と蒸発器５８が上下に配置される。
【００５０】
そして、前記冷凍室(Ｆ)の背面パネルの下部には冷凍室(Ｆ)内の冷気を蒸発器５８の周辺に循環させる冷気リターン穴８６が形成され、前記背面パネルの冷気リターン穴２８の上側には前記冷凍室(Ｆ)に冷気が吐き出される冷気吐出穴８８、９０、９２が上下に複数個形成される。
【００５１】
前記冷気吐出穴８８、９０、９２は少なくとも何れか一つ例えば吐出穴８８が前記除氷装置７９に向けて冷気を吐き出すように前記除氷装置７９の後方位置に形成され、残りの吐出穴９０、９２が前記除氷装置７９以外に向けて冷気を吐き出すように形成される。
【００５２】
一方、前記冷凍室ダンパー６４、６６、６８は前記製氷装置７９に向けて吐き出される冷気は制御せず、前記製氷装置７９以外に向けて吐き出される冷気のみを制御することが可能である。即ち、前記製氷装置７９に向けて冷気を吐き出す冷気吐出穴８８にはその開閉のための冷凍室ダンパーが装着されず、前記製氷装置７９以外に向けて冷気を吐き出す冷気吐出穴９０、９２には冷凍室ダンパーが装着されるのである。
【００５３】
勿論、前記冷凍室ダンパー６４、６６、６８は、図６に示したように、冷凍室ダンパー６４、６６、６８のうち少なくとも何れか一つ(以下、製氷専用ダンパーという)例えばダンパー６４が前記製氷装置７９に向けて吐き出される空気を制御し、残りのダンパー６６、６８が前記製氷装置７９以外に向けて吐き出される冷気を制御することも可能である。即ち、前記製氷装置７９の以外に向けて冷気を吐き出す冷気吐出穴９０、９２のみならず前記製氷装置７９に向けて冷気を吐き出す冷気吐出穴８８にも冷凍室ダンパーが装着されるのである。
【００５４】
一方、前記隔壁８０は下部の一側に冷蔵室(Ｒ)内の冷気が前記蒸発器５８の周辺に循環される冷気リターンダクト１１０が形成され、前記冷気リターンダクト１１０の上側に前記蒸発器により冷却された冷気を前記冷蔵室(Ｒ)に吐き出す冷気吐出ダクト１１２が少なくとも一つ以上形成される。前記冷気吐出ダクト１１２には前記冷蔵室ダンパー７２が装着される。
【００５５】
符号１１４は前記冷凍室(Ｆ)及び冷蔵室(Ｒ)の内側に上下に離隔して設けた複数個の棚である。
【００５６】
図７は本発明による冷蔵庫の一実施例における冷凍室及び冷蔵室が開放された斜視図である。
【００５７】
前記冷蔵庫は、図７に示したように、前記冷凍室(Ｆ)の前方に冷凍室ドア８２が開閉可能に装着され、前記冷蔵室(Ｒ)の前方に冷蔵室ドア８４が開閉可能に連結される。
【００５８】
前記製氷装置７９は給水された水を製氷した後に移す製氷器９４と、前記製氷器で移された氷が盛られるアイスバンク９６とから構成される。
【００５９】
前記製氷器９４は冷凍室の有効内容積を大きくするために前記冷凍室ドア８２の背面に装着することが望ましい。かつ、前記製氷９４は前記冷凍室(Ｆ)の冷気吐出穴８８、９０、９２のうち少なくとも何れか一つの前方に位置することが望ましく、以下説明の便宜のために最上側の冷気吐出穴８８の前方に位置することとする。
【００６０】
前記製氷器９４は給水ホースを通じて供給された水が溜められるカップと、前記カップに給水された水が移されて冷凍室内の冷気により製氷される製氷器モールドと、前記製氷器モールドに装着されて氷の取出時に製氷器モールドと氷を分離できるように前記製氷器モールドを加熱するヒータと、前記製氷器モールドの上側に回動可能に配置されて製氷された氷をよそうエジェクターと、前記エジェクターにより載置された氷を前記アイスバンクに案内するスライダーと、前記アイスバンク９６の満氷を感知する満氷感知レバーと、前記製氷器モールドの温度と前記アイスバンク９６の満氷如何によって前記ヒータ及びエジェクターを制御し、前記カップに供給される水を断続する給水バルブを制御する製氷制御部から構成される。
【００６１】
前記アイスバンク９６は冷凍室(Ｆ)の有効内容積を大きくするために前記冷凍室ドア８２の背面に装着され、前記製氷器９４の下側に位置する。
【００６２】
前記アイスバンク９６は上面が開放され、内部に移された氷を水平に移送させるオーガーと、移送された氷を粉砕する粉砕器が装着され、底面に角氷と粉砕氷が取り出される氷取出口が形成されると共に前記氷取出口を開閉するシャッターが装着される。
【００６３】
そして、前記冷凍室ドア８２の背面には氷を外部に取り出させるディスペンサー９８と、前記アイスバンク９６に入っている氷が前記ディスペンサー９８に落下するように案内する通路の形成されたアイススート１００が装着される。
【００６４】
前記ディスペンサー９８は前記アイススート１００の下側に位置するように前記冷凍室ドア５４に装着され、氷の盛られる容器が出入りできるように前面が開放され、両側面及び背面が塞がれる。
【００６５】
前記アイススート１００は前記アイスバンク９６の下側に位置するように前記冷凍室ドア８２の背面に装着される。前記アイススート１００は前記通路の上端が前記アイスバンク９６の氷取出口と通じ、前記通路の下端が前記ディスペンサー９８の内側区間と通じる。
【００６６】
符号１１６は前記冷凍室ドア８２及び冷蔵室ドア８４の背面に上下に離隔して装着された複数個のバスケットである。
【００６７】
次に、前記のように構成された本発明の動作及びその制御方法を説明する。
【００６８】
図８は本発明による冷蔵庫の制御方法の第１実施例を示すフローチャートである。
【００６９】
まず、前記コントロールパネル７４を通じて急速製氷命令が入力されると、前記制御部７８は前記冷却ファン６０を前記冷凍室(Ｆ)の負荷に関係なく急速製氷モードにオンさせる(Ｓ１１、Ｓ１２)。
【００７０】
そして、前記制御部７８は前記圧縮器５２を前記冷却ファン６０と共にオンする。即ち、前記制御部７８は前記冷凍室(Ｆ)の感知温度が下限設定温度未満であっても、前記冷却ファン６０をオンさせ、前記圧縮器６２をオンさせる。
【００７１】
ここで、前記制御部７８は前記冷却ファン６０を急速製氷モードでない時の回転数(ｒｐｍ)より高い回転数で回転させる。
【００７２】
前記圧縮器５２がオンされる場合、前記蒸発器５８には低温低圧の冷媒が流れるようになり、蒸発器５８周辺の空気は蒸発器５８に流れる低温の冷媒と熱交換されて低温に冷却される。
【００７３】
前記冷却ファン６０がオンされる場合、前記蒸発器５８の周辺で冷却された空気は前記冷凍室(Ｆ)または冷蔵室(Ｒ)に送風される。
【００７４】
前記冷凍室(Ｆ)に送風される冷気は、図６に示したように、冷気吐出穴８８、９０、９２を通じて冷凍室(Ｆ)に吐き出され、冷凍室(Ｆ)の下側に移動した後、冷気リターン穴８６を通じて蒸発器５８側へ戻る。
【００７５】
一方、前記冷凍室(Ｆ)に吐き出された空気の一部は前記製氷器９４の周辺を通りながら制氷器９４に給水された水を製氷させた後に冷凍室(Ｆ)の下側に移動され、前記製氷器(９４)で製氷された氷は前記アイスバンク９６に移されてアイスバンク９６に盛られる。
【００７６】
前記制御部７８は前記のような急速製氷モード中に前記アイスバンクが満氷になると、前記冷却ファン６０及び圧縮器５２をオフさせる(Ｓ１３、Ｓ１５)。
【００７７】
そして、前記制御部７８は前記のような急速製氷モードを設定時間の間だけ実行する。即ち、前記制御部７８は前記アイスバンク９６の満氷が感知されず、前記圧縮器５２及び冷却ファン６０がオンされた後に設定時間(例えば、１０分)が経過すると、前記冷却ファン６０及び圧縮器５２をオフさせる(Ｓ１４、Ｓ１５)。
【００７８】
そして、前記制御部７８は前記のような急速製氷モードの終了後に新たな急速製氷命令が入力されるまで前記冷却ファン６０及び圧縮器５２を冷凍室の負荷に応じてオン／オフ制御する。
【００７９】
即ち、前記制御部７８は前記冷凍室負荷感知センサー６２により感知された感知温度が上限設定温度より高いと判断されると、前記圧縮器５２及び冷却ファン６０をオン作動させる(Ｓ１６、Ｓ１７)。
【００８０】
前記圧縮器５２のオンによる前記蒸発器５８の周辺空気の冷却と前記 冷却ファン６０のオンによる冷気の循環は前記急速製氷モード時と同一なので、その詳細な説明は省くことにする。
【００８１】
そして、前記制御部７８は前記負荷感知センサー６２で感知された感知温度が下限設定温度より低いと判断されると、圧縮器５２及び冷却ファン６０をオフ作動させる(Ｓ１８、Ｓ１９)。
【００８２】
次に、前記制御部７８は前記冷凍室(Ｆ)の負荷(即ち、冷凍室の感知温度)の変動に応じて前記圧縮器５２及び冷却ファン６０のオン／オフを制御し、前記コントロールパネルを通じて急速製氷命令が入力されると、前記のような急速製氷モードで前記圧縮器５２及び冷却ファン６０をオン／オフ制御する。
【００８３】
図９は本発明による冷蔵庫の制御方法の第２実施例を示すフローチャートである。
【００８４】
まず、前記コントロールパネル７４を通じて急速製氷命令が入力されると、前記制御部７８は前記冷却ファン６０を前記冷凍室(Ｆ)の負荷に関係なく急速製氷モードにオンさせる(Ｓ３１、Ｓ３２)。
【００８５】
そして、前記制御部７８は前記圧縮器５２を前記冷却ファン６０と共にオンさせる。かつ、前記制御部７８は前記冷凍室ダンパー６４、６６、６８の一部または全部を密閉させる。
【００８６】
ここで、前記冷凍室ダンパー６４、６６、６８の一部を密閉させることは、図６に示したように、前記冷凍室ダンパー６４、６６、６８が製氷専用ダンパー６４とその外のダンパー６６、６８からなる場合、前記製氷専用ダンパー６４以外のダンパー６６、６８を密閉し前記製氷専用ダンパー６４を開放させて、冷気を製氷装置７９に向けて集中させることである。
【００８７】
そして、前記冷凍室ダンパー６４、６６、６８の全部を密閉させることは、前記冷凍室ダンパー６４、６６、６８が前記製氷装置７９以外に向けて吐き出される冷気を制御する場合、すべての冷凍室ダンパーを密閉させて冷気を製氷装置７９に向けて集中させることである。
【００８８】
以下、図６に示したように、前記製氷専用ダンパー６４が前記製氷装置７９に向けて吐き出される空気を制御し、前記製氷専用ダンパー６４を除いた残り６６、６８が前記製氷装置７９以外に向けて吐き出される冷気を制御する場合を例に挙げて説明する。
【００８９】
前記制御部７８は前記冷却ファン６０を急速製氷モードでない時の回転数より高い回転数で回転させる。
【００９０】
前記圧縮器５２がオンされる場合、前記蒸発器５８には低温低圧の冷媒が流れるようになり、蒸発器５８の周辺空気は蒸発器５８を流れる低温の冷媒と熱交換されて低温に冷却される。
【００９１】
そして、前記冷却ファン６０がオンされる場合、前記蒸発器５８の周辺で冷却された空気は前記冷凍室(Ｆ)または冷蔵室(Ｒ)に吐き出される。
【００９２】
前記冷凍室(Ｆ)に吐き出される冷気は前記製氷装置７９以外に向けて冷気を吐き出す冷気吐出穴９０、９２が前記冷凍室ダンパー６６、６８により閉じられているため、前記製氷装置７９に向けて冷気を吐き出す冷気吐出穴８８を通じてのみ吐き出され、前記吐き出された冷気は前記製氷装置７９に集中されるようになる。
【００９３】
前記製氷装置７９に集中された冷気は前記製氷器９４の周辺を通りながら製氷器９４に給水された水をより迅速に製氷させた後に冷凍室(Ｆ)の下側に移動され、前記冷気リターン８６を通じて蒸発器５８側に循環される。
【００９４】
一方、前記製氷器(９４)で製氷された氷は前記アイスバンク９６に移されてアイスバンク９６に盛られる。
【００９５】
前記制御部７８は前記のような急速製氷モード中に前記アイスバンクが満氷されると、前記冷却ファン６０及び圧縮器５２をオフさせる(Ｓ３３、Ｓ３５)。
【００９６】
そして、前記制御部７８は前記のような急速製氷モードを設定時間の間だけ実行する。即ち、前記制御部７８は前記アイスバンク９６の満氷が感知されず、前記圧縮器５２及び冷却ファン６０がオンされた後に設定時間(例えば、１０分)が経過すると、前記冷却ファン６０及び圧縮器５２をオフさせる(Ｓ３４、Ｓ３５)。
【００９７】
かつ、前記制御部７８は前記のような急速製氷モードの終了後に新たな急速製氷命令が入力されるまで、冷凍室(Ｆ)の負荷に応じて前記冷却ファン６０と圧縮器５２をオン／オフさせて、前記冷凍室ダンパー６４、６６、６８を開閉させる。
【００９８】
即ち、前記制御部７８は前記冷凍室負荷感知センサー６２により感知された感知温度が上限設定温度より高いと判断されると、前記圧縮器５２及び冷却ファン６０をオン作動させ、冷凍室ダンパー６４、６６、６８の全部を開放させる(Ｓ３６、Ｓ３７)。
【００９９】
前記圧縮器５２のオンによる前記蒸発器５８の周辺空気の冷却は前記急速製氷モード時と同一なので、その詳細な説明は省くことにする。
【０１００】
前記 冷却ファン６０がオンされると共に冷凍室ダンパー６４、６６、６８の全部が開放されると、前記蒸発器５８の周辺で冷却された空気は前記冷凍室(Ｆ)または冷蔵室(Ｒ)に送風される。
【０１０１】
前記冷凍室(Ｆ)に送風される冷気は、図６に示したように、前記製氷装置７９に向けて冷気を吐き出す冷気吐出穴８８と、前記製氷装置７９以外に向けて冷気を吐き出す冷気吐出穴９０、９２を通じて冷凍室(Ｆ)に分散して吐き出される。
【０１０２】
前記製氷装置７９に向けて冷気を吐き出す冷気吐出穴８８に吐き出された冷気は前記製氷器９４を冷却させた後に前記冷凍室(Ｆ)の下側に移動されて冷気リターン穴８６を通じて蒸発器５８側に循環され、前記製氷装置７９以外に向けて冷気を吐き出す冷気吐出穴９０、９２に吐き出された冷気は前記冷凍室(Ｆ)の下側に移動されて冷気リターン穴８６を通じて蒸発器５８側に循環される。
【０１０３】
そして、前記制御部７８は前記負荷感知センサー６２で感知された感知温度が下限設定温度より低いと判断されると、圧縮器５２と冷却ファン６０をオフ作動させ、前記冷凍室ダンパー６４、６６、６８の全部を密閉させる(Ｓ３８、Ｓ３９)。
【０１０４】
その後、前記制御部７８は前記冷凍室(Ｆ)の負荷(即ち、冷凍室の感知温度)の変動に応じて前記圧縮器５２と冷却ファン６０のオン／オフを制御すると共に前記冷凍室ダンパー６４、６６、６８の開閉を制御し、前記コントロールパネルを通じて急速製氷命令が入力されると、前記のような急速製氷モードで前記圧縮器５２、冷却ファン６０及び冷凍室ダンパー６４、６６、６８を制御する。
【０１０５】
一方、本発明は前記の実施例に限られず、前記制御部７８が急速製氷モード中に前記冷蔵室ダンパー７２も密閉させて、冷気が蒸発器５８の周辺と冷凍室(Ｆ)のみを循環するようにすることも勿論できる。この場合、前記蒸発器５８により冷却された冷気は前記製氷装置７９にさらに集中されて、前記製氷器９４内の水はより迅速に製氷される。
【０１０６】
図１０は本発明による冷蔵庫の制御方法の第３実施例を示すフローチャートである。
【０１０７】
まず、前記コントロールパネル７４を通じて急速製氷命令が入力されると、前記制御部７８は前記冷却ファン６０を前記冷凍室(Ｆ)の負荷に関係なく急速製氷モードにオンさせる(Ｓ５１、Ｓ５２)。
【０１０８】
そして、前記制御部７８は前記圧縮器５２を前記冷却ファン６０と共にオンさせる。即ち、前記制御部７８は前記冷凍室(Ｆ)の感知温度が下限設定温度未満であっても、前記冷却ファン６０をオンさせ、前記圧縮器６２をオンさせる。
【０１０９】
ここで、前記制御部７８は前記冷却ファン６０を急速製氷モードでない時の回転数より高い回転数で回転させる。
【０１１０】
前記圧縮器５２がオンされる場合、前記蒸発器５８には低温低圧の冷媒が流れるようになり、蒸発器５８の周辺空気は蒸発器５８に流れる低温の冷媒と熱交換されて低温に冷却される。
【０１１１】
そして、前記冷却ファン６０がオンされる場合、前記蒸発器５８の周辺で冷却された空気は前記冷凍室(Ｆ)または冷蔵室(Ｒ)に送風される。
【０１１２】
前記冷凍室(Ｆ)に送風される冷気は、図６に示したように、冷気吐出穴８８、９０、９２を通じて冷凍室(Ｆ)に吐き出され、冷凍室(Ｆ)の下側に移動した後、冷気リターン穴８６を通じて蒸発器５８側に戻る。
【０１１３】
前記冷凍室(Ｆ)に吐き出された空気のうち一部は前記製氷器９４の周辺を通りながら制氷器９４に給水された水を製氷させた後に冷凍室(Ｆ)の下側に移動され、前記製氷器(９４)で製氷された氷は前記アイスバンク９６に移されてアイスバンク９６に盛られる。
【０１１４】
一方、前記制御部７８は前記のような急速製氷モード中に前記圧縮器５２の運転積算時間が除霜設定時間(例えば、１０時間)を超えても、前記除霜装置７６をオンさせず、前記のような急速製氷モードが終了するまで前記除霜装置７６をオン状態に待機させる(Ｓ５３、Ｓ５４)。
【０１１５】
そして、前記制御部７８は前記のような急速製氷モード中に前記アイスバンクが満氷になると、前記冷却ファン６０及び圧縮器５２をオフさせる(Ｓ５５、Ｓ５７)。
【０１１６】
かつ、前記制御部７８は前記のような急速製氷モードを設定時間(例えば、１０分)の間だけ実行する。即ち、前記制御部７８は前記アイスバンク９６の満氷が感知されず、前記圧縮器５２及び冷却ファン６０がオンされた後に設定時間(例えば、１０分)が経過すると、前記冷却ファン６０及び圧縮器５２をオフさせる。
【０１１７】
そして、前記制御部７８は前記のような急速製氷モードが終了すると共に、急速結氷モード中に待機させた前記除霜装置７６をオンさせる(Ｓ５８)。
【０１１８】
前記除霜装置７６のオン時に前記蒸発器５８の表面に生成された霜は前記除霜装置７６により加熱されて徐々に溶ける。
【０１１９】
前記制御部７８は前記除霜装置７６がオンされた後に第２設定時間(例えば、３分)が経過すると、前記除霜装置７６をオフさせる(Ｓ５９、Ｓ６０)。
【０１２０】
次に、前記制御部７８は新たな急速製氷命令が入力されるまで前記冷却ファン６０及び圧縮器５２を冷凍室の負荷に応じてオン／オフ制御する。
【０１２１】
即ち、前記制御部７８は前記冷凍室負荷感知センサー６２により感知された感知温度が上限設定温度より高いと判断されると、前記圧縮器５２及び冷却ファン６０をオン作動させる(Ｓ６１、Ｓ６２)。
【０１２２】
前記圧縮器５２のオンによる前記蒸発器５８の周辺空気の冷却と前記 冷却ファン６０のオンによる冷気の循環は前記急速製氷モード時と同一なので、その詳細な説明は省くことにする。
【０１２３】
そして、前記制御部７８は前記負荷感知センサー６２で感知された感知温度が下限設定温度より低いと判断されると、圧縮器５２及び冷却ファン６０をオフ作動させる(Ｓ６３、Ｓ６４)。
【０１２４】
一方、前記制御部７８は前記のような冷凍室(Ｆ)の負荷による冷却ファン６０と圧縮器５２のオン途中に前記圧縮器５２の運転積算時間が再び除霜設定時間(例えば、１０時間)を超えると、第２設定時間(例えば、３分)の間だけ前記圧縮器５２及び 冷却ファン６０をオフさせると共に前記除霜装置７６をオンさせ、前記第２設定時間(例えば、３分)が経過すると、前記除霜装置７６をオフさせる。
【０１２５】
一方、本実施例による冷蔵庫の制御方法の第３実施例は前記のような急速製霜モード中に前記圧縮器５２の運転積算時間が除霜設定時間(例えば、１０時間)を経過しないと、本発明の第１実施例と同一に制御されるので、その詳細な説明は省くことにする。(Ｓ５４′、Ｓ５５′、Ｓ５６′、Ｓ６１、６２、６３、６４)
図１１は本発明による冷蔵庫の制御方法の第４実施例を示すフローチャートである。
【０１２６】
まず、前記コントロールパネル７４を通じて急速製氷命令が入力されると、前記制御部７８は前記冷却ファン６０を前記冷凍室(Ｆ)の負荷に関係なく急速製氷モードにオンさせる(Ｓ７１、Ｓ７２)。
【０１２７】
そして、前記制御部７８は前記圧縮器５２を前記冷却ファン６０と共にオンさせる。
【０１２８】
ここで、前記制御部７８は前記冷却ファン６０を急速製氷モードでない時の回転数より高い回転数で回転させる。
【０１２９】
そして、前記制御部７８は本発明の第２実施例のように冷凍室ダンパー６４、６６、６８の一部または全部を密閉させる。
【０１３０】
前記冷凍室ダンパー６４、６６、６８の開閉に関する制御は本発明の第２実施例と同一なので、以下その詳細な説明は省くことにする。
【０１３１】
前記圧縮器５２がオンされる場合、前記蒸発器５８には低温低圧の冷媒が流れるようになり、蒸発器５８の周辺空気は蒸発器５８に流れる低温の冷媒と熱交換されて低温に冷却される。
【０１３２】
そして、前記冷却ファン６０がオンされ、前記冷凍室ダンパー６４、６６、６８の一部または全部が密閉される場合、前記蒸発器５８の周辺で冷却された空気は前記冷凍室(Ｆ)または冷蔵室(Ｒ)に吐き出される。
【０１３３】
前記冷凍室(Ｆ)に吐き出される冷気は前記製氷装置７９の以外に向けて冷気を吐き出す冷気吐出穴９０、９２が前記冷凍室ダンパー６６、６８により塞がっているため、前記製氷装置７９に向けて冷気を吐き出す冷気吐出穴８８を通じてのみ吐き出され、前記吐き出された冷気は前記製氷装置７９に集中するようになる。
【０１３４】
前記製氷装置７９に集中された冷気は前記製氷器９４の周辺を通りながら制氷器９４に給水された水をより迅速に製氷させた後に冷凍室(Ｆ)の下側に移動され、前記冷気リターン穴８６を通じて蒸発器５８側に循環される。
【０１３５】
一方、前記製氷器(９４)で製氷された氷は前記アイスバンク９６に移されてアイスバンク９６に盛られる。
【０１３６】
一方、前記制御部７８は前記のような急速製氷モード中に前記圧縮器５２の運転積算時間が除霜設定時間(例えば、１０時間)を超えても、前記除霜装置７６をオンさせず、前記のような急速製氷モードが終了するまで前記除霜装置７６をオン状態に待機させる(Ｓ７３、Ｓ７４)。
【０１３７】
そして、前記制御部７８は前記のような急速製氷モード中に前記アイスバンクが満氷になると、前記冷却ファン６０及び圧縮器５２をオフさせる(Ｓ７５、Ｓ７７)。
【０１３８】
かつ、前記制御部７８は前記のような急速製氷モードを設定時間(例えば、１０分)の間だけ実行する。即ち、前記制御部７８は前記アイスバンク９６の満氷が感知されず、前記圧縮器５２及び冷却ファン６０がオンされた後に設定時間(例えば、１０分)が経過すると、前記冷却ファン６０及び圧縮器５２をオフさせる(Ｓ７６、Ｓ７７)。
【０１３９】
そして、前記制御部７８は前記のような急速製氷モードが終了すると共に、急速製氷モード中に待機させた前記除霜装置７６をオンさせる(Ｓ７８)。
【０１４０】
以下、前記除霜装置７６の制御及びそれによる作用は本発明の第３実施例と同一なので、その詳細な説明は省くことにする(Ｓ７９、Ｓ８０)。
【０１４１】
その次に、前記制御部７８は前記除霜装置７６のオフ後に新たな急速製氷命令が入力されるまで冷凍室の負荷に応じて前記冷却ファン６０及び圧縮器５２をオン／オフ制御し、前記冷凍室ダンパー６４、６６、６８を開閉させる。
【０１４２】
即ち、前記制御部７８は前記冷凍室負荷感知センサー６２により感知された感知温度が上限設定温度より高いと判断されると、前記圧縮器５２及び冷却ファン６０をオン作動させ、前記冷凍室ダンパー６４、６６、６８の全部を開放させる(Ｓ８１、Ｓ８２)。
【０１４３】
前記圧縮器５２のオンによる前記蒸発器５８の周辺空気の冷却と前記冷却ファン６０及び冷凍室ダンパー６４、６６、６８のオンによる冷気の循環は前記本発明の第２実施例と同一なので、その詳細な説明は省くことにする。
【０１４４】
そして、前記制御部７８は前記負荷感知センサー６２で感知された感知温度が下限設定温度より低いと判断されると、圧縮器５２及び冷却ファン６０をオフ作動させて、前記冷凍室ダンパー６４、６６、６８の全部を密閉させる(Ｓ８３、Ｓ８４)。
【０１４５】
一方、前記制御部７８は前記のような冷凍室(Ｆ)の負荷による冷却ファン６０と圧縮器５２のオンと前記冷凍室ダンパー６４、６６、６８の開放途中に前記圧縮器５２の運転積算時間が除霜設定時間(例えば、１０時間)を超えると、第２設定時間(例えば、３分)の間だけ前記圧縮器５２及び冷却ファン６０をオフさせると共に前記除霜装置７６をオンさせ、前記第２設定時間(例えば、３分)が経過すると、前記除霜装置７６をオフさせる。
【０１４６】
一方、本発明による冷蔵庫の制御方法の第４実施例は、前記のような急速除霜装置モード中に前記圧縮器５２の運転積算時間が除霜設定時間(例えば、１０時間)を経過しないと、本発明の第１実施例と同一に制御されるので、その詳細な説明は省くことにする(Ｓ７４′、Ｓ７５′、Ｓ７６′、Ｓ８１、８２、８３、８４)。
【図面の簡単な説明】
【０１４７】
【図１】従来の技術による冷蔵庫の冷凍サイクル及び主要部の構成を示したブロック図である。
【図２】従来の技術による冷蔵庫の内部を概略的に示した正面図である。
【図３】従来の技術による冷蔵庫の冷凍室及び冷蔵室が開放された斜視図である。
【図４】従来の技術による冷蔵庫の制御方法を示した順序図である。
【図５】本発明による冷蔵庫の一実施例の冷凍サイクル及び主要部の構成を示したブロック図である。
【図６】本発明による冷蔵庫の一実施例の内部を概略的に示した正面図である。
【図７】本発明による冷蔵庫の一実施例の冷凍室及び冷蔵室が開放された斜視図である。
【図８】本発明による冷蔵庫の制御方法の第１実施例を示したフローチャートである。
【図９】本発明による冷蔵庫の制御方法の第２実施例を示したフローチャートである。
【図１０】本発明による冷蔵庫の制御方法の第３実施例を示したフローチャートである。
【図１１】本発明による冷蔵庫の制御方法の第４実施例を示したフローチャートである。
【符号の説明】
【０１４８】
５２…圧縮器
５８…蒸発器
６０…冷却ファン
６２…冷凍室の負荷感知センサー
６４…冷凍室のダンパー
６６…冷凍室のダンパー
６８…冷凍室のダンパー
７２…冷蔵室のダンパー
７４…コントロールパネル
７６…除霜装置
７９…製氷装置
８２…冷凍室ドア
８４…冷蔵室ドア
９４…製氷器
９６…アイスバンク
９８…ディスペンサー
１００…アイススート
Ｆ…冷凍室
Ｒ…冷蔵室
【図１】
2005121349.tif 000003
【図２】
2005121349.tif 000004
【図３】
2005121349.tif 000005
【図４】
2005121349.tif 000006
【図５】
2005121349.tif 000007
【図６】
2005121349.tif 000008
【図７】
2005121349.tif 000009
【図８】
2005121349.tif 000010
【図９】
2005121349.tif 000011
【図１０】
2005121349.tif 000012
【図１１】
2005121349.tif 000013